(57)【要約】      （修正有）【課題】衛星テレビジョン放送受信用パラボラアンテナにあるＬＮＢ回路にバッテリーから作成された電源を用いることによる使用時間の制約を改善する。【解決手段】ＬＮＢ回路２に供給する電源をＡＣアダプター８のみに限定することで、時間的制約を受けないことを実現する。ＡＣアダプター電源の有無を検出して、検出しなければ短絡検出情報を有効にせず、ＬＮＢ設定の状態を変更しないことで、タイマー録画などをスムーズに行えることを可能に出来る。【選択図】図１
2010288245.tif 000002
【特許請求の範囲】
【請求項１】
電源制御部に供給する電源は、バッテリー、または商用電源から作成された電源を使用し、
電源回路に供給される電源は、商用電源からの作成された電源のみを使用する。
上記電源制御部は、外部入力端子、および第一、第二の内部入力端子を有し、
上記外部入力端子信号により、上記電源回路の動作状態を設定して、
上記電源回路出力の状態を検出する短絡検出回路からの検出信号を上記第一の内部入力端子に入力し、
上記電源回路に電源を供給する電源の状態を検出する電源検出回路の検出信号を上記第二の内部入力端子に入力して、
上記電源回路の状態を設定することを特徴とするアンテナ電源制御部。
【請求項２】
請求項１において、
外部から上記電源回路を操作するための操作手段で、上記電源回路の動作状態を設定し、
上記操作手段で設定した情報を上記電源制御部で、上記外部入力端子から入力し保持する。
保持された情報が上記電源回路を動作させる情報の場合、上記電源制御部の上記第一の内部入力端子に入力される上記短絡検出回路が短絡を検出しても、
上記電源検出回路で、電源が存在しないことを検出し、上記第二の内部入力端子に入力すれば、電源制御部に保持された情報が維持されることを特徴とするアンテナ電源制御部。
【発明の詳細な説明】
【技術分野】
【０００１】  本発明は、ＬＮＢ（Ｌｏｗ  Ｎｏｉｓｅ  Ｂｌｏｃｋ  Ｄｏｗｎ  Ｃｏｎｖｅｒｔｅｒ）回路に電源を供給する受信テレビジョン放送受信装置に関する。
【背景技術】
【０００２】  ２０１１年でアナログでのテレビジョン放送が停波されることが決定された。２０１１年７月以降デジタルテレビジョン放送に移行する。デジタルテレビジョン放送方式は、効率的な帯域の有効利用が可能で、多くの情報を送信することが出来る。
テレビジョン放送方式の中でも衛星を使用した衛星テレビジョン放送は、広いエリアに対して、大量の情報伝送が可能であり、衛星と地上送信局を含めた送信システムの経費が少ない利点を持つ。更に、コストが安いことから最新の技術を取り入れた新しい放送システムを導入しやすいことも利点となる。【０００３】  近年、家電製品のデジタル化に伴い、ハードディスクやＤＶＤに映像を記録するＨＤＤビデオレコーダーなどが市場を賑している。
パーソナルコンピュータ分野においてもパーソナルコンピュータにハードディスクやＤＶＤが搭載されていることから、チューナー機能を持つキャプチャーボードを備え付ければ、ＨＤＤビデオレコーダーと同じ機能を持つ製品なる。
パーソナルコンピュータに衛星テレビジョン放送を受信できるキャプチャーボードを搭載して、衛星テレビジョン放送を受信するには、パラボラアンテナを設置する必要がある。【０００４】  パラボラアンテナには、ＬＮＢ回路があり電源を供給する必要がある。
ＬＮＢ回路への電源を供給する手段は、ＬＮＢ回路に接続されるＲＦ信号を送信するケーブルにＲＦ信号とＬＮＢ回路に供給する電源を重畳することで行われる。
共聴アンテナを設置しているマンションなどは、そのシステムで、ＬＮＢ回路に電源供給しているので必要ないが、一戸建て家屋や個別にパラボラアンテナを設置している家庭では、ＬＮＢ回路に電源を供給しなければならない。【０００５】  ＬＮＢ回路に必要な電力は、最大で４Ｗであり、バッテリーとＡＣアダプターの２種類の電源で動作可能なノートブック型パーソナルコンピュータでは、バッテリーのみの電源では、使用時間に制限を受ける欠点があった。【０００６】  また、ＬＮＢ回路に供給する電源は、パーソナルコンピュータから外部に対して供給されるので、短絡などの不具合に留意する必要がある。
ケーブルに電源を印加した状態で、パラボラアンテナにケーブルを接続作業中に一瞬、短絡させた場合は、比較的短い時間であるので、短絡解放後電源回路は自動復帰して、所定の電源を供給する。【０００７】  しかし、ケーブルをパラボラアンテナに接続して、ケーブルの芯線がショートした状態で放置した場合などは、比較的長い間短絡状態が続くので、過熱などによる事故を想定して、ＬＮＢ回路に電源供給を停止するように電源制御部の設定状態をＬＮＢ＿ＯＮからＬＮＢ＿ＯＦＦに移行させる。
また、ＬＮＢ＿ＯＮ状態でＡＣアダプターからの電源供給を停止すると短絡した状態と同じ状態になり、短絡検出回路が短絡状態と誤検出して、電源制御部は同様にＬＮＢ＿ＯＮからＬＮＢ＿ＯＦＦの設定状態に移行する。【０００８】  ＬＮＢの設定が、ＯＮからＯＦＦに移行するとユーザーが設定を戻す必要がある。設定を戻さない限り、ＬＮＢ回路に電源が供給されず視聴が不可能になり、タイマー録画など失敗する欠点があった。【０００９】
【特許文献１】特開２００８−２６２２５０
【発明の開示】
【発明が解決しようとする課題】
【００１０】  従来例を図３に示す。
本考案は、パラボラアンテナ１０１にあるＬＮＢ回路１０２に電源を供給するように、設定スイッチ１０３でＬＮＢ＿ＯＮと設定するとＬＮＢ＿ＯＮ情報は、電源制御部１０５に入力され保持し、電源回路１０６を動作させる。【００１１】  電源制御部１０５、および電源回路１０６には、バッテリー１０７、もしくはＡＣアダプター１０８からの電源も使用可能である。
バッテリー１０７とＡＣアダプター１０８の切換えは、電源検出回路１０９でＡＣアダプターの電源を検出して、電源切換え手段１１０により、電源制御部１０５に供給する電源を切り替える。【００１２】  ここで、バッテリーを使用して、衛星テレビジョン放送を視聴すると、ＬＮＢ回路に最大で４Ｗの電力が消費され、パーソナルコンピュータの消費電力が約２０％増加する。
消費電力の増加は、使用時間を制限して、録画時間などを充分に確保できない欠点があった。【００１３】  電源回路１０６で作成された電源は、接続されたＲＦケーブル１０４を通して、パーソナルコンピュータ１１１から外部にあるＬＮＢ回路１０２に供給されるので、短絡検出回路１１２で供給状態を監視している。【００１４】  上記のようにＬＮＢ回路に電源を供給する電源回路に供給する電源にバッテリーを使用すると時間的制約が発生するので、電源回路に供給する電源をＡＣアダプターのみと限定した場合、
衛星テレビジョン放送視聴中、ＡＣアダプター１０８の電源供給を停止すると電源回路１０６の電源が途絶え短絡検出回路１１２が、短絡と検出する。
短絡検出回路１１２の出力は、電源制御部１０５に入力され、電源回路１０６の電源供給を停止させる。【００１５】  ＬＮＢ回路への電源供給停止時間が充分に長い場合は、電源制御部１０５に保持されているＬＮＢ＿ＯＮ情報がＬＮＢ＿ＯＦＦへと移行して、電源回路１０６からＬＮＢ回路へ電源を供給しない設定に移行する。【００１６】  このとき、地上波テレビジョン放送の視聴は可能であるが、衛星テレビジョン放送の視聴が出来ない状態になる。
衛星テレビジョン放送を視聴する場合、ユーザーは、パーソナルコンピュータを起動して再設定を行う必要があり、放置するとタイマー録画に失敗する欠点があった。【００１７】  そこで本発明は、上記従来の実情に鑑みて提案されたものであり、衛星テレビジョン放送を視聴してもパーソナルコンピュータ使用時間の制限を受けず、誤検出による使用上の不具合を発生させない方法を提供することを目的とする。
【課題を解決するための手段】
【００１８】  本考案は、ＬＮＢ回路に供給する大元の電源をＡＣアダプターから作成した電源に限定することで、使用時間制限の改善を図る。
また、ＡＣアダプターからの電源供給を停止して短絡状態と誤検出しても、図２に示したようにＡＣアダプターの電源を監視することで、誤検出によりＬＮＢ電源制御のステータスを変えることなく、正常な動作を維持することが可能になる。
これらによって、上記の目的を達成する。
【発明の効果】
【００１９】  パラボラアンテナのＬＮＢ回路に電源を供給する電源元をＡＣアダプターから供給された電源に限定することで、時間的制限が緩和される。
また、短絡状態を検出してもＡＣアダプターから供給される電源を検出し、ＬＮＢ制御をＯＮの状態のまま維持することで、タイマー録画をスムーズに行うことが出来る。
【発明を実施するための最良の形態】
【００２０】  本考案具体例として図１に示す。
パラボラアンテナ１にあるＬＮＢ回路２に電源を供給するように、設定スイッチ３で、ＬＮＢ＿ＯＮと設定するとＬＮＢ＿ＯＮ情報は、電源制御部５に入力され保持し、電源回路６を動作させる。【００２１】  電源制御部５には、バッテリー７、もしくはＡＣアダプター８からの電源の使用も可能である。
バッテリー７とＡＣアダプター８の切換えは、電源検出回路９でＡＣアダプターの電源を検出して、電源切換え手段１０により、電源制御部５に供給する電源を切り替える。
電源回路６で使用する電源は、ＡＣアダプター８から供給される電源のみである。【００２２】  電源回路６で作成された電源は、接続されたＲＦケーブル４を通して、パーソナルコンピュータ１１から外部にあるＬＮＢ回路２に供給されるので、短絡などの対策のため短絡検出回路１２で供給状態を監視している。【００２３】  衛星テレビジョン放送視聴中、ＡＣアダプター８の電源供給を停止すると電源回路６の電源が途絶え短絡検出回路７が、短絡と検出する。
ここで、電源検出回路９は、ＡＣアダプターの電源を検出できず、電源制御部５に電源が存在しない情報を入力するので、電源制御部５に保持された設定情報ＬＮＢ＿ＯＮは維持される。【００２４】  したがって、ＡＣアダプター８をパーソナルコンピュータ１１に接続して電源を供給すれば、パーソナルコンピュータ１１を起動して、ＬＮＢ設定の再操作を行うことなく、タイマー録画をスムーズに行なえ、充分な録画時間を確保することが可能になる。
【図面の簡単な説明】
【００２５】
【図１】；本発明のブロック図を示す。
【図２】：本発明の電源制御部のフローを示す。
【図３】；従来のブロック図を示す。
【符号の説明】
【００２６】１，１０１  パラボラアンテナ、２，１０２  ＬＮＢ回路、３，１０３  設定スイッチ、
４，１０４  ＲＦケーブル、５，１０５  電源制御部、６，１０６  電源回路、
７，１０７  バッテリー、８，１０８  ＡＣアダプター、９，１０９  電源検出回路、
１０，１１０  電源切換え手段、１１，１１１  パーソナルコンピュータ
１２，１１２  短絡検出回路
【図１】
2010288245.tif 000003
【図２】
2010288245.tif 000004
【図３】
2010288245.tif 000005